(57)【要約】【課題】測定時には、表示部、操作部などの外部に露出している各種手段を紫外線や赤外線などから保護しつつ、表示部の目視や操作部の操作などを簡易に行なうことができる紫外線測定装置を提供すること。【解決手段】紫外線測定装置１０を、紫外線測定装置本体１２と遮蔽カバー１４とで構成し、遮蔽カバー１４を紫外線測定装置本体１２の側端部に遮蔽位置及び開放位置の間で回動可能に連結して、遮蔽位置で液晶ディスプレイ１６（表示手段）を覆うと供に、開放位置で液晶ディスプレイ１６を露出させる構成とした。【選択図】　図１
2004109091.tif 000002
【特許請求の範囲】
【請求項１】
紫外線に関する物理量を検知する検知手段と、
前記検知手段によって検知された物理量を示す物理量情報を用いて、予め定められた演算処理を行なう演算手段と、
前記演算手段による演算結果を表示する表示手段と、
を備える紫外線測定装置であって、
前記演算手段及び前記表示手段を備える紫外線測定装置本体と、遮蔽カバーと、を含んで構成され、
前記遮蔽カバーは、遮蔽カバー本体と、その側端部が前記紫外線測定装置本体の側端部に遮蔽位置及び開放位置の間で回動可能に連結する連結部と、を含んで構成され、前記遮蔽位置で前記表示手段を覆うと供に、前記開放位置で前記表示手段を露出させる、
ことを特徴とする紫外線測定装置。
【請求項２】
紫外線に関する物理量を検知する検知手段と、
前記検知手段によって検知された物理量を示す物理量情報を用いて、予め定められた演算処理を行なう演算手段と、
前記演算手段による演算結果を表示する表示手段と、
を備える紫外線測定装置であって、
前記演算手段及び前記表示手段を備える紫外線測定装置本体と、遮蔽カバーと、を含んで構成され、
前記遮蔽カバーは、遮蔽カバー本体と、前記紫外線測定装置本体を遮蔽位置及び開放位置に案内するガイド部と、を含んで構成され、前記遮蔽位置で前記表示手段を覆うと供に、前記開放位置で前記表示手段を露出させる、
ことを特徴とする紫外線測定装置。
【請求項３】
前記検知手段を、前記紫外線測定装置本体に設けると供に、遮蔽位置で前記検知手段を露出する開口部が前記遮蔽カバー本体に設けられることを特徴とする請求項１又は２に記載の紫外線測定装置。
【請求項４】
検知手段の指向性を調節する指向性調節手段を備えることを特徴とする請求項３に記載の紫外線測定装置。
【請求項５】
前記検知手段を、前記遮蔽カバー本体における遮蔽位置で前記表示手段と対向する面とは異なる面に備えることを特徴とする請求項１又は２に記載の紫外線測定装置。
【請求項６】
前記遮蔽カバーは、前記紫外線測定装置本体から取り外し可能であることを特徴とする請求項５に記載の紫外線測定装置。
【請求項７】
前記紫外線測定装置への各種操作を指示するための操作手段を前記紫外線測定装置本体に備え、
前記遮蔽カバー本体は、前記遮蔽位置で前記操作手段を覆うと供に、前記開放位置で前記操作手段を露出させる、ことを特徴とする請求項１〜６のいずれか１項に記載の紫外線測定装置
【請求項８】
紫外線に関する物理量を検知する検知手段と、
前記検知手段によって検知された物理量を示す物理量情報を用いて、予め定められた演算処理を行なう演算手段と、
前記演算手段による演算結果を表示する表示手段と、
を備える紫外線測定装置であって、
前記表示手段は、前記検知手段とは異なる面に備えることを特徴とする紫外線測定装置。
【請求項９】
前記紫外線測定装置は、紫外線測定方向を目視するための開口部を備え、
前記検知手段は、前記紫外線測定方向を目視するための開口部内で且つ前記表示手段とは異なる面側に備えることを特徴とする請求項８に記載の紫外線測定装置。
【請求項１０】
前記紫外線測定方向を目視するための開口部内で且つ前記表示手段と同じ面側に、紫外線を遮蔽するフィルターを備えることを特徴とする請求項９に記載の紫外線測定装置。
【請求項１１】
前記紫外線測定装置への各種操作を指示するための操作手段を、前記表示手段と同じ面に備えることを特徴とする請求項８〜１０のいずれか１項に記載の紫外線測定装置。
【請求項１２】
前記検知手段によって検知された物理量を示す物理量情報を、所定期間内において予め定められた複数のタイミングで、記憶するための記憶手段を備えることを特徴とする請求項１〜１１のいずれか１項に記載の紫外線測定装置。
【請求項１３】
前記演算手段は、前記演算処理として、紫外線に関する物理量の最大値、最小値、及び積算値の少なくとも１つを演算することを特徴とする請求項１〜１２のいずれか１項に記載の紫外線測定装置。
【請求項１４】
前記表示手段に、前記演算手段による演算結果としてグラフが表示されることを特徴とする請求項１〜１３のいずれか１項に記載の紫外線測定装置。
【請求項１５】
前記表示手段が外部に露出されているか否かを検出する露出検出手段を備えることを特徴とする請求項１〜１４に記載の紫外線測定装置。
【請求項１６】
前記露出検出手段による検出の結果、前記表示手段が外部に露出されていないことが検出されたタイミングに基づくタイミングで、少なくとも前記表示手段への電力供給を停止することを特徴とする請求項１５に記載の紫外線測定装置。
【請求項１７】
前記露出検出手段による検出の結果、前記表示手段が外部に露出されていないことが検出されたタイミングに基づくタイミングで前記紫外線の物理量を測定を開始し、前記表示手段が外部に露出されたことが検出されたタイミングに基づくタイミングで当該測定を停止することを特徴とする請求項１５又は１６に記載の紫外線測定装置。
【発明の詳細な説明】
【０００１】
【発明の属する技術分野】
本発明は、紫外線測定装置に関する。
【０００２】
【従来の技術】
近年、印刷装置、半導体製造装置、殺菌処理装置、オゾン発生器等、紫外線を使用した工業用装置が広く用いられている。また、このような装置を用いた設備は、紫外線を用いることによる人体への悪影響や省力化を考慮して、例えばベルトコンベア等を用いて自動化されている場合が多い。
【０００３】
紫外線を発する光源としては太陽、水銀灯、レーザ、シンクロトロン放射等が挙げられるが、このうち水銀灯は安価であり、かつ強い紫外線を容易に得ることができることから広く工業用として用いられている。なお、水銀灯は、励起状態の水銀原子からの発光を利用したものであり、その水銀蒸気圧力により、超高圧水銀灯、高圧水銀灯、中圧水銀灯、低圧水銀灯等がある。このうち、低圧水銀灯から発する光は、１８５ｎｍ及び２５４ｎｍの波長の輝線がその殆どを占めている。また、高圧水銀灯から発する光は、３１３ｎｍや３６６ｎｍと長波長の可視波長の輝線がある。工業用として用いられる紫外線は、これらの波長のものであり、その用途は、印刷用インク等の硬化や乾燥、食品等の殺菌の他、オゾンの発生源としても用いられる。
【０００４】
ところで、以上のような紫外線を用いた工業用装置では、常に一定の紫外線量や紫外線強度を維持することが肝心であり、処理対象とする商品や部品等に対して所定の紫外線量（瞬間紫外線量及び積算紫外線量を含む。）や紫外線強度（瞬間紫外線強度及び積算紫外線強度を含む。）が照射されているか否かを確認する必要がある。また、これとは逆に、本来、紫外線が照射されるべきでない箇所に過度に紫外線が照射されていないことを確認する必要がある場合もある。
【０００５】
これらのことを背景に、従来、紫外線量や紫外線強度を測定する紫外線測定装置として、紫外線量や紫外線強度を検知するセンサを測定対象とする装置の紫外線照射位置に配設し、かつ測定装置本体を当該測定対象とする装置とは異なる位置に配設すると共に、上記センサと上記測定装置本体とをリード線で接続し、測定対象とする装置を作動させた状態でセンサにより検知された紫外線量や紫外線強度を測定装置本体で記録するものがあった。
【０００６】
しかしながら、この紫外線測定装置では、センサと測定装置本体とを接続するリード線が紫外線の照射域に存在するため、当該リード線は耐紫外線性、耐熱性を有する材料で被覆されている必要があるが、当該被覆材料として適切なものがなかった。また、紫外線の照射域が広く測定距離が長くなると長いリード線が必要となるが、リード線が長くなるとノイズを拾い易く、測定誤差の原因となっていた。
【０００７】
このような問題点に鑑み、従来、センサと測定部とが一体化された紫外線測定装置（例えば、特開平９−１４５４７３号公報、特開２００１−８３００８公報等に記載の装置）が提案されている。これらの提案では、測定部や、表示部、操作部が、紫外線や赤外線などによる熱により誤動作したり、破壊或いは劣化したりするのを防止するため、紫外線測定時にはカバーを装着させることが開示されている。
【０００８】
【特許文献１】
特開平９−１４５４７３号公報
【特許文献８】
特開２００１−８３００８公報
【０００９】
【発明が解決しようとする課題】
このような紫外線測定装置における測定部は、筐体内部に設けられるものであるため、当該筐体を紫外線や赤外線などを反射したり熱が伝わり難い構成とすることで、誤動作したり、破壊或いは劣化したりするのを防止できるが、外部に露出される表示部や操作部では（特に表示部）、やはりカバーは必要なものである。しかしながら、上記提案に示されるようなカバーは、紫外線測定時毎に装着し、さらに表示部の目視或いは操作部の操作毎に外さなければならないものであり、測定・記録を繰り返した場合、非常に煩雑であり、このため、表示部の目視や操作部の操作などを簡易に行なえるようにと改善が望まれている。
【００１０】
本発明は、前記従来における諸問題を解決し、以下の目的を達成することを課題とする。即ち、本発明の目的は、測定時には、表示部、操作部などの外部に露出している各種手段を紫外線や赤外線などから保護しつつ、表示部の目視や操作部の操作などを簡易に行なうことができる紫外線測定装置を提供することである。
【００１１】
【課題を解決するための手段】
上記課題は、以下の手段により解決される。即ち、本発明は、
（１）　紫外線に関する物理量を検知する検知手段と、
前記検知手段によって検知された物理量を示す物理量情報を用いて、予め定められた演算処理を行なう演算手段と、
前記演算手段による演算結果を表示する表示手段と、
を備える紫外線測定装置であって、
前記演算手段及び前記表示手段を備える紫外線測定装置本体と、遮蔽カバーと、を含んで構成され、
前記遮蔽カバーは、遮蔽カバー本体と、その側端部が前記紫外線測定装置本体の側端部に遮蔽位置及び開放位置の間で回動可能に連結する連結部と、を含んで構成され、前記遮蔽位置で前記表示手段を覆うと供に、前記開放位置で前記表示手段を露出させる、
ことを特徴とする紫外線測定装置。
【００１２】
（１）に記載の発明では、遮蔽カバーを、紫外線測定時には、遮蔽位置に回動させて表示手段を覆って表示手段への紫外線や赤外線の照射を遮蔽させる一方、単に開放位置へ回動させると表示手段を露出して、表示手段が目視可能になる。このように、（１）に記載の発明によれば、遮蔽カバーを回動させる操作のみで、紫外線測定時には表示手段を保護しつつ、表示手段目視時には容易に表示手段から表示される情報を目視することができる。
【００１３】
（２）　紫外線に関する物理量を検知する検知手段と、
前記検知手段によって検知された物理量を示す物理量情報を用いて、予め定められた演算処理を行なう演算手段と、
前記演算手段による演算結果を表示する表示手段と、
を備える紫外線測定装置であって、
前記演算手段及び前記表示手段を備える紫外線測定装置本体と、遮蔽カバーと、を含んで構成され、
前記遮蔽カバーは、遮蔽カバー本体と、前記紫外線測定装置本体を遮蔽位置及び開放位置に案内するガイド部と、を含んで構成され、前記遮蔽位置で前記表示手段を覆うと供に、前記開放位置で前記表示手段を露出させる、
ことを特徴とする紫外線測定装置。
【００１４】
（２）に記載の発明では、紫外線測定装置本体を、紫外線測定時には、遮蔽位置に遮蔽カバーのガイド部に沿って案内移動させて遮熱カバー本体により表示手段を覆って表示手段への紫外線や赤外線の照射を遮蔽させる一方、単に開放位置へガイド部に沿って案内移動させると表示手段が露出して、表示手段が目視可能になる。このように、（２）に記載の発明によれば、紫外線測定装置本体をガイド部に沿って案内移動させる操作のみで、紫外線測定時には表示手段を保護しつつ、表示手段目視時には容易に表示手段から表示される情報を目視することができる。
【００１５】
（３）　前記検知手段を、前記紫外線測定装置本体に設けると供に、遮蔽位置で前記検知手段を露出する開口部が前記遮蔽カバー本体に設けられることを特徴とする前記（１）又は（２）に記載の紫外線測定装置。
【００１６】
（３）に記載の発明では、紫外線測定装置本体に設けられた検知手段が遮蔽カバーで覆われたときでも、遮蔽カバーに設けられた開口部から露出されるように構成している。このように（３）に記載の発明によれば、検知手段が遮蔽カバーで覆われたとき、検知手段が開口部から露出され紫外線測定を行なうことができる。
【００１７】
（４）　検知手段の指向性を調節する指向性調節手段を備えることを特徴とする前記（３）に記載の紫外線測定装置。
【００１８】
（４）に記載の発明では、指向性調節手段を設けることで、例えば、被測定位置周辺全体の紫外線を測定したい場合には検知手段の指向性を広げ、また、特定方向からの紫外線を測定したい場合には検知手段の指向性を狭くさせるといった具合に調節できるように構成している。このように、（４）に記載の発明によれば、検知手段の指向性を調節する光指向性調節手段を設けることで、目的に応じて精度良く紫外線測定を行なうことができる。
【００１９】
（５）　前記検知手段を、前記遮蔽カバー本体における遮蔽位置で前記表示手段と対向する面とは異なる面に備えることを特徴とする前記（１）又は（２）に記載の紫外線測定装置。
【００２０】
（５）に記載の発明では、遮蔽カバーに設けられた検知手段が、遮蔽カバーが遮蔽位置に位置するとき、常に露出させるように、検知手段を遮蔽カバーにおける前記表示手段と対向する面とは異なる面に設けている。このように、（５）に記載の発明によれば、検知手段が遮蔽カバーで覆われたとき、検知手段が開口部から露出され紫外線測定を行なうことができる。
【００２１】
（６）　前記遮蔽カバーは、前記紫外線測定装置本体から取り外し可能であることを特徴とする前記（５）に記載の紫外線測定装置。
【００２２】
（６）に記載の発明では、検知手段が設けられた遮蔽カバーを、紫外線測定装置本体から脱着可能とすることで、例えば、指向性の異なる検知手段や、紫外線の検知可能領域が異なる検知手段などを容易に交換できる構成としている。このように、（６）に記載の発明によれば、検知手段が設けられた遮蔽カバーを脱着可能とすることで、目的に応じて精度良く紫外線測定を行なうことができる。
【００２３】
（７）　前記紫外線測定装置への各種操作を指示するための操作手段を前記紫外線測定装置本体に備え、
前記遮蔽カバー本体は、前記遮蔽位置で前記操作手段を覆うと供に、前記開放位置で前記操作手段を露出させる、ことを特徴とする前記（１）〜（６）のいずれか１項に記載の紫外線測定装置
【００２４】
（７）に記載の発明では、操作手段を、表示手段と同様に、遮蔽カバーにより紫外線測定時には覆って紫外線や赤外線の照射を遮蔽させる一方、操作時には露出させる。このように、（７）に記載の発明によれば、表示手段と同様に、紫外線測定時には操作手段を保護しつつ、操作時には容易に操作手段を操作することができる。
【００２５】
（８）紫外線に関する物理量を検知する検知手段と、
前記検知手段によって検知された物理量を示す物理量情報を用いて、予め定められた演算処理を行なう演算手段と、
前記演算手段による演算結果を表示する表示手段と、
を備える紫外線測定装置であって、
前記表示手段は、前記検知手段とは異なる面に備えることを特徴とする紫外線測定装置。
【００２６】
（８）に記載の発明では、表示手段を検知手段とは異なる面に設ける、即ち、紫外線測定時、紫外線が照射される側の面に検知手段を設けると供に、紫外線が照射されない面に表示手段を設けることで、検知手段を紫外線照射光源に向けて、紫外線測定装置を被測定位置に配置させると、表示手段は被測定位置面に対向すると供に当該面覆われる。このように、（８）に記載の発明によれば、紫外線測定装置を被測定位置に配置する操作のみで、紫外線測定時には表示手段を保護しつつ、表示手段目視時には容易に表示手段から表示される情報を目視することができる。
【００２７】
（９）　前記紫外線測定装置は、紫外線測定方向を目視するための開口部を備え、
前記検知手段は、前記紫外線測定方向を目視するための開口部内で且つ前記表示手段とは異なる面側に備えることを特徴とする前記（８）に記載の紫外線測定装置。
【００２８】
（９）に記載の発明では、検知手段を紫外線測定方向を目視するための開口部内で且つ前記表示手段とは異なる面側に設けることで、表示手段が手前にくるようにして、紫外線測定方向を紫外線測定装置に設けられた開口部から目視・確認でき、例えば、被測定対象物に照準を合わせることが容易な構成としている。このように、（９）に記載の発明によれば、紫外線測定方向を容易に目視・確認でき、精度良く紫外線測定を行なうことができる。
【００２９】
（１０）　前記紫外線測定方向を目視するための開口部内で且つ前記表示手段と同じ面側に、紫外線を遮蔽するフィルターを備えることを特徴とする前記（９）に記載の紫外線測定装置。
【００３０】
（１０）に記載の発明では、紫外線を遮蔽するフィルターを紫外線測定方向を目視するための開口部内で且つ前記表示手段と同じ面側に設けることで、紫外線測定方向を紫外線測定装置に設けられた開口部から目視・確認する際、人体に有害な紫外線が、目に照射されないようしている構成である。このように、（１０）に記載の発明よれば、安全に紫外線測定方向を容易に目視・確認でき、精度良く紫外線測定を行なうことができる。
【００３１】
（１１）　前記紫外線測定装置への各種操作を指示するための操作手段を、前記表示手段と同じ面に備えることを特徴とする前記（８）〜（１０）のいずれか１項に記載の紫外線測定装置。
【００３２】
（１１）に記載の発明では、表示手段と同様に、操作手段が表示手段と供に検知手段とは異なる面に設けることで、検知手段を紫外線照射光源に向けて、紫外線測定装置を被測定位置に配置させると、表示手段は被測定位置面に対向すると供に当該面覆われる。このように、（１１）に記載の発明では、（８）に記載の発明と同様に、紫外線測定装置を被測定位置に配置する操作のみで、紫外線測定時には操作手段を保護しつつ、操作時には容易に操作手段を操作することができる。
【００３３】
（１２）　前記検知手段によって検知された物理量を示す物理量情報を、所定期間内において予め定められた複数のタイミングで、記憶するための記憶手段を備えることを特徴とする前記（１）〜（１１）のいずれか１項に記載の紫外線測定装置。
【００３４】
（１２）に記載の発明では、検知手段により紫外線に関する物理量が検知され、前記検知手段によって検知された物理量を示す物理量情報が記憶手段によって記憶される。記憶手段には、例えば１５分、１時間や６時間などといった所定期間内において予め定められた複数のタイミング（例えば、０．１秒間隔、１０秒間隔など）で当該物理量情報が記録される。このように、（１２）に記載の発明によれば、所定期間内に所定の間隔で物理量情報が記録されるので、紫外線に関する物理量変化を容易に確認することができる。
【００３５】
（１３）　前記演算手段は、前記演算処理として、紫外線に関する物理量の最大値、最小値、及び積算値の少なくとも１つを演算することを特徴とする前記（１）〜（１２）のいずれか１項に記載の紫外線測定装置。
【００３６】
（１３）に記載の発明よれば、前記演算手段が、前記演算処理として、紫外線に関する物理量の最大値、最小値、及び積算値の少なくとも１つを演算し、その結果が表示手段に表示されるので、様々な紫外線に関する物理量を示す物理量情報を確認することができる。
【００３７】
（１４）　前記表示手段に、前記演算手段による演算結果としてグラフが表示されることを特徴とする前記（１）〜（１３）のいずれか１項に記載の紫外線測定装置。
【００３８】
（１４）に記載の発明によれば、前記演算手段による演算結果を表示手段にグラフで表示されることで、感覚的に紫外線に関する物理量を示す物理量情報を確認できる。
【００３９】
（１５）　前記表示手段が外部に露出されているか否かを検出する露出検出手段を備えることを特徴とする前記（１）〜（１４）のいずれか１項に記載の紫外線測定装置。
【００４０】
（１５）に記載の発明では、露出検出手段により、表示手段が外部に露出されているか否かを検出する、即ち、（１）〜（７）に記載の発明においては、遮蔽カバーにより表示手段が覆われているか否か、（８）〜（１１）に記載の発明においては、紫外線測定装置が被測定位置に設置され表示手段が当該被測定位置面に覆われているか否かを検知する。このように、（１５）に記載の発明によれば、露出検出手段を設け、表示手段が外部に露出されているか否かを検出することで、表示手段の露出状態を容易に認識できる。
【００４１】
（１６）　前記露出検出手段により前記表示手段が外部に露出されていないことが検出されたタイミングに基づくタイミングで、少なくとも前記表示手段への電力供給を停止することを特徴とする前記（１５）に記載の紫外線測定装置。
【００４２】
（１６）に記載の発明では、前記露出検出手段により表示手段が外部に露出されていないことが検出されたとき、そのタイミングに基づき、即ち例えば検出されたタイミングと同時、１秒後、５秒後、或いは１０後などといった具合のタイミングで、少なくとも表示手段への電力供給を停止させる。ここで、表示手段のみならず、紫外線測定に関与しない手段への電力供給を停止させることがよい。このように、（１６）に記載の発明によれば、不必要な電力供給を防いで節電することができる。
【００４３】
（１７）　前記露出検出手段により前記表示手段が外部に露出されていないことが検出されたタイミングに基づくタイミングで前記紫外線の物理量を測定を開始し、前記表示手段が外部に露出されたことが検出されたタイミングに基づくタイミングで当該測定を停止することを特徴とする前記（１５）又は（１６）に記載の紫外線測定装置。
【００４４】
（１７）に記載の発明では、前記露出検出手段により表示手段が外部に露出されていないことが検出されたとき、そのタイミングに基づき、即ち例えば検出されたタイミングと同時、１秒後、５秒後、或いは１０後などといった具合のタイミングで紫外線測定を開始する一方で、同様に、表示手段が外部に露出されたことが検出されたとき、紫外線測定を停止する。このように、（１７）に記載の発明によれば、常に、表示手段が露出されているときには紫外線測定が行なわれず、無駄な電力消費を抑えることができる。また、別途、紫外線測定開始或いは停止するためのスイッチ類を設ける必要が無く簡素化が可能となる。
【００４５】
【発明の実施の形態】
以下、本発明の実施の形態を図面を参照して説明する。なお、実質的に同様の機能を有するものには、全図面通して同じ符号を付して説明し、場合によってはその説明を省略することがある。
【００４６】
（第１の実施の形態）
図１は、第１の実施の形態に係る紫外線測定装置を示す分解斜視図である。図２は、第１の実施の形態に係る紫外線測定装置を示す斜視図である。
【００４７】
図１〜図２に示すように、紫外線測定装置１０は、紫外線測定装置本体１２と遮蔽カバー１４とから構成されている。
【００４８】
紫外線測定装置本体１２は、各種情報を表示するための液晶ディスプレイ１６（表示手段）と、紫外線の物理量として紫外線強度を検知する紫外線受光素子１８（検知手段）と、当該紫外線測定装置１０のユーザからの各種情報を入力するための操作パネル２０（操作手段：例えば、電源スイッチ、モード切換スイッチ、設定スイッチなど）と、当該紫外線測定装置本体１２によって測定された紫外線強度を示す紫外線強度情報の出力及び図示しない情報端末装置からの各種情報の入力を可能とするデータ入出力端子２２と、を含んで構成されており、液晶ディスプレイ１６、紫外線受光素子１８、操作パネル２０、及びデータ入出力端子２２の外部に露出した状態で設けられている。また、液晶ディスプレイ１６、紫外線受光素子１８、操作パネル２０は、紫外線測定装置本体１２の同一面に設けられてる。なお、紫外線受光素子１８は、紫外線測定装置本体１２の液晶ディスプレイ１６が設けれた面の中央部に設けられている。
【００４９】
なお、本明細書において、「面に設ける」とは当該面から外部に露出されるように設けられることを示す。また、紫外線の物理量としては、紫外線強度の他に、紫外線量などが挙げられる。
【００５０】
紫外線受光素子１８としては、マグネシウムを添加した水素化窒化ガリウム素子（例えば、特開平１０−２５６５７７号公報、同１１−１８６５７１号公報に記載の薄型紫外線センサー）を適用している。この素子は、可視光を除いた紫外線強度を高精度に測定することができると共に、小型であるので、装置を小型化することができる。紫外線受光素子１８としては、これに限られず、シリコン光検出器に可視光カットフィルタを組み合わせて構成した紫外線センサ、ＵＶトロン、光電子増倍管等のあらゆる紫外線センサを適用することができる。
【００５１】
液晶ディスプレイ１６には、セイコーエプソン株式会社の表示モジュールであるＳＥＫ１０５４Ｂを適用している。この表示モジュールは、ドットマトリクス型の液晶表示モジュールであり、９６ドット×３２ドットの表示面に任意の情報を表示することができ、文字やグラフ等の表示が可能であるり、例えば、測定後その場で簡単なグラフを表示することができ、図示しない外部入出力装置にデータを出力することなく直感的に照度分布等を確認することができる。表示手段には、これに限らず、他の液晶ディスプレイ、有機ＥＬディスプレイ、プラズマディスプレイ、ＣＲＴディスプレイ等のあらゆるディスプレイを適用することができる。
【００５２】
遮蔽カバー１４は、液晶ディスプレイ１６、操作パネル２０が外面に露出されて設けられた紫外線測定装置本体１２の面を保護するものであり、アルミニウムやステンレス等の金属板が適用される。遮蔽カバー１４の側端部には、ピン２３が設けられており、当該ピン２３を紫外線測定装置本体１２の側端部に設けられた軸受け２４に挿入して、遮蔽カバー１４が、紫外線測定装置本体１２に遮蔽位置（遮蔽カバー１４を閉じた位置）及び開放位置（遮蔽カバー１４を開いた位置）の間で回動可能に連結される。連結手段としては、これに限定されるわけではなく、例えば、遮蔽カバー１４と紫外線測定装置本体１２とを蝶番などで連結してもよい。
【００５３】
遮蔽カバー１４には、紫外線受光素子１８と同じ大きさの断面円形の開口部２６が設けられており、遮蔽カバー１４を遮蔽位置（遮蔽カバー１４を閉じた位置）に回動させたとき、即ち遮蔽カバー１４が紫外線測定装置本体面を覆ったとき、当該開口部２６から紫外線受光素子１８が露出するように構成されている。
【００５４】
遮蔽カバー１４には、遮蔽位置（遮蔽カバー１４を閉じた位置）に回動させたとき、紫外線測定装置本体面と対向する面側に、突起２８が設けられている。当該突起２８は、紫外線測定装置本体１２の液晶ディスプレイ１６と同じ面に外部に露出して設けられた遮蔽カバー開閉検出スイッチ３０を押圧するためのものであり、遮蔽カバー１４が遮蔽位置（遮蔽カバー１４を閉じた位置）に回動させたとき、突起２８が開閉検出スイッチ３０を押圧し、遮蔽カバー１４が開放位置（遮蔽カバー１４を開いた位置）に回動させたとき、当該押圧を解除する（露出検出手段）。露出検出手段としては、紫外線測定装置１０を工業用として使用する場合、このような非磁性の構成とすることがよいが、それ以外の用途の場合、磁性の構成とすることもできる。例えば、開閉検出スイッチ３０の代わりに、ホール素子を設け、突起２８の代わりに、小型磁石を設ける構成などが挙げられる。このような構成は可動部分が減り接点寿命あるいはちりやほこりの多い環境での使用で有利となる。
【００５５】
紫外線測定装置１０では、紫外線測定装置本体１２の筐体および遮蔽カバー１４は、光源からの紫外線および赤外線を吸収しないよう、また、紫外線センサーの指向性を損なわないよう、例えば厚さ０．３ｍｍの非磁性ステンレスで製作しており、表面は鏡面仕上げにしている。また、遮蔽カバー１４に設けられた開口部２６は紫外線受光素子１８の受光部の中心を中心とし、例えば半径５ｍｍの円形とした。紫外線測定装置本体１２の筐体および遮蔽カバー１４の構成材料として、非磁性のものを用いると、上述のように、紫外線測定装置１０を工業用として使用するのに有利である。
【００５６】
また、センサー面の法線から光源までの角度をθとしたときにｃｏｓθに従う紫外線受光素子１８の指向性は、遮蔽カバー１４が遮蔽位置に回動させたとき、開口部２６における、紫外線受光素子１８受光面と、遮蔽カバー外面（紫外線測定装置本体１２と対向する面とは異なる面）との高さ（開口部深さ）に依存する。例えば、図３に示すように、遮蔽カバー１４が遮蔽位置に回動したとき、紫外線受光素子１８が開口部２６に勘合され且つその受光面が遮蔽カバー１４面と同じ高さになるように、紫外線受光素子１８を紫外線測定装置本体１２面から突出させて設けると、指向性を狭める原因が素子の厚さと素子基板の屈折率のみとなり、よりｃｏｓθに近い指向性を実現することがことができる。逆に、紫外線受光素子１８を受光面が紫外線測定装置本体１２面と同じになるように設けると、紫外線受光素子１８受光面と、遮蔽カバー１４外面（遮蔽カバー１４が遮蔽位置に回動したとき、紫外線測定装置本体１２と対向する面とは異なる面）との高さが高くなり、ｃｏｓθと離れた指向性、（即ち指向性を狭めること）が実現できる。
【００５７】
このため、紫外線測定装置１０は、図示しないが、指向性調整手段として、紫外線受光素子１８の紫外線測定装置本体１２面からの突出高さを調整する手段を設ければ、指向性を簡易に調節でき、用途に応じて正確な測定が可能となる。なお、本実施形態で紫外線受光素子１８として適用するマグネシウムを添加した水素化窒化ガリウム素子（例えば、特開平１０−２５６５７７号公報、同１１−１８６５７１号公報に記載の薄型紫外線センサー）は、指向性を鉛直方向から約８２度の範囲で得ることができるので、上記のような指向性調整手段を設けると、最大の指向性が約８２度の範囲で得ること可能となる。
【００５８】
一方、紫外線測定装置１０には、内部に図４に示す内部回路３２が備えられている。同図に示すように内部回路３２は、紫外線測定装置１０全体の動作を司るＣＰＵ３４（中央演算処理装置：演算処理手段）、時間を計時する時計３６、各種情報を記憶するためのメモリ３８（記憶手段）、入力されたアナログ信号をデジタルデータに変換して出力するアナログ／デジタル変換器４０（以下、「Ａ／Ｄ変換器」という）、入力されたアナログ信号を増幅する増幅回路４２、内部回路３２の各部に駆動用電力を供給する充電式電池４４、及び充電式電池４４を充電するときその電圧などを制御するための電源制御回路４６を含んで構成されている。なお、同図では錯綜を回避するために、充電式電池４４から各部への電力供給路を示す接続線は図示を省略している。
【００５９】
ＣＰＵ３４には時計３６が接続されており、ＣＰＵ３４は時計３６によって計時されている時間を随時知ることができる。なお、時計３６をＣＰＵ３４に内蔵しておき、ソフトウェアで同様の動作を実現してもよい。
【００６０】
また、ＣＰＵ３４にはメモリ３８が接続されており、ＣＰＵ３４はメモリ３８に対する各種情報の書込み及び読出しを行うことができる。更に、ＣＰＵ３４には液晶ディスプレイ１６が接続されており、ＣＰＵ３４は液晶ディスプレイ１６に対して各種情報を表示することができる。また、ＣＰＵ３４には操作パネル２０の各スイッチが接続されており、ＣＰＵ３４は各スイッチのユーザによる押下状態を随時検知することができる。ＣＰＵ３４には開閉検出スイッチ３０が接続されており、ＣＰＵ３４には遮蔽カバー１４（突起２８）による押下状態を随時検知することができる。
【００６１】
一方、紫外線受光素子１８のセンサ出力端子は増幅回路４２を介してＡ／Ｄ変換器４０の入力端に接続され、Ａ／Ｄ変換器４０の出力端はＣＰＵ３４に接続されている。ここで、Ａ／Ｄ変換器４０には、入力されたアナログ信号をサンプリングしてホールドするサンプル／ホールド回路が内蔵されている。従って、ＣＰＵ３４には、紫外線受光素子１８による瞬間的なセンサ出力のデジタル化されたデータ（以下、「瞬間紫外線強度」という。）が入力される。
【００６２】
また、ＣＰＵ３４にはデータ入出力端子２２が接続されており、ＣＰＵ３４はデータ入出力端子２２を介して各種情報の入出力を行うことができる。なお、データ入出力端子２２はＣＰＵ３４への接続以外に、メモリ３８にも直接接続されており、紫外線測定装置１０はデータ入出力端子２２を介して、外部からメモリ３８に直接各種情報を書込むことができると共に、メモリ３８から外部へ直接各種情報を読み出すことができるように構成されている。また、データ入出力端子２２は、充電式電池４４にも電源制御回路４６を介して接続されており、紫外線測定装置１０は電源制御回路４６で電圧などを制御し、データ入出力端子２２を介して充電式電池４４への充電も行なわれる。
【００６３】
紫外線測定装置１０では、ＣＰＵ３４が常時安定して駆動する必要があり、本実施の形態のように充電式電池４４によって駆動させるためには、ＣＰＵ３４として低消費電力でかつ十分な処理能力が得られるものを適用する必要がある。そこで、この必要性に対応すべく、本実施の形態では、ＣＰＵ３４として日立セミコンダクター社製の「Ｈ８／３８２７Ｒ」を適用している。この「Ｈ８／３８２７Ｒ」は、演算用のプログラム、一次記憶用の揮発性メモリーの他、アナログ／ディジタル変換回路（図中、Ａ／Ｄ変換器４０に相当）が内蔵されており、これによって部品点数を削減することができ、装置の低コスト化及び小型化の双方を図ることができる。
【００６４】
また、メモリ３８には、米国ｍｉｃｒｏｃｈｉｐ　ｔｅｃｈｎｏｌｏｇｙ社の記憶素子である２４ＬＣ２５６を適用している。この記憶素子は、小型であるにもかかわらず大容量であるので、紫外線測定装置１０を小型化することができる。
【００６５】
なお、紫外線測定装置１０では、遮蔽カバー１４が遮蔽位置に回動され、設けられ突起２８により開閉検出スイッチ３０が押圧されると、液晶ディスプレイ１６による表示に関する回路への電力供給を停止し、電力消費量を低減している。液晶ディスプレイ１６に限らず、紫外線測定に関与しないものにも電力供給を停止することで、より効率よく電力消費を低減することができる。
【００６６】
ここで、図５を参照して、紫外線測定装置１０におけるメモリ３８の記憶内容について説明する。なお、図５はメモリ３８の記憶内容を示す模式図である。
【００６７】
同図に示すように、メモリ３８には、測定データ（紫外線強度）に関する各種情報を記憶するための部分であるヘッダ部３８Ａと、ユーザにより設定された各種設定値を記憶するための部分である設定値部３８Ｂと、実際の測定データを記憶するための部分である測定データ部３８Ｃと、が設けられている。
【００６８】
なお、本実施の形態では、測定データの外部への漏洩を防止するために測定データに対して所定の暗号化方式にて暗号化を施した後に測定データ部３８Ｃに記憶している。上記ヘッダ部３８Ａには、このときの暗号化方式を示す情報等が記憶される。なお、暗号化方式は、特に限定されることはなく、種々の技術を適宜選択することができる。
【００６９】
また、紫外線測定装置１０による紫外線強度のサンプリング間隔Ｔ１は、１ミリ秒から１０秒までの間で設定可能とされている。ここで、サンプリング間隔Ｔ１を短くするほど正確な測定ができる反面、測定結果を記憶するための記憶容量が増加するため、使用目的に応じて適宜変更するようにする。また、紫外線測定装置１０による紫外線強度の測定期間Ｔ２も、数分〜数時間の間で同様に設定可能とされている。
【００７０】
また、紫外線測定装置１０は、遮蔽カバー１４が遮蔽位置に回動され、設けられた突起２８により開閉検出スイッチ３０が押圧されると、自動的に紫外線測定を開始し、遮蔽カバー１４が開放位置へ回動して、押圧が解除されると、紫外線測定を停止するように設定されている。開閉検出スイッチ３０が押圧されたタイミング（或いは押圧を解除したタイミング）に対して、数秒後或いは数分のタイムラグ間隔Ｔ３を設定して、当該タイミングに対して遅れて紫外線測定を開始し或いは停止させることもできる。
【００７１】
これら、上記サンプリング間隔Ｔ１、上記測定期間Ｔ２、上記タイムラグ間隔Ｔ３は、ユーザが操作パネル２０を操作することで設定してもよいし、各々紫外線測定装置１０に通信装置を介して接続された上位装置（例えば、情報端末装置）から設定することもできる。メモリ３８の上記設定値部３８Ｂには、上記サンプリング間隔Ｔ１、上記測定期間Ｔ２、上記タイムラグ間隔Ｔ３が記憶される。
【００７２】
次に、図６を参照して、紫外線測定装置１０の紫外線強度の測定時における作用を説明する。なお、図６は、ＣＰＵ３４で実行される紫外線測定処理の流れを示すフローチャートである。ここでは、メモリ３８の測定データ部３８Ｃの全記憶内容がクリア（本実施の形態では、‘０’が記憶された状態）されている場合について説明する。
【００７３】
図６のステップ１００では予め定められた初期画面を液晶ディスプレイ１６に表示する。図７（Ａ）には、本ステップ１００の処理によって液晶ディスプレイ１６に表示された初期画面が示されている。同図に示すように、本実施の形態における初期画面では、紫外線強度の測定が行われていないことを示す‘ＳＴＯＰ’が表示されると共に、測定された瞬間紫外線強度の最大値を示す記号である‘Ｕｍａｘ：’と、瞬間紫外線強度の最小値を示す記号である‘Ｕｍｉｎ：’と、積算紫外線強度を示す記号である‘Ｓ：’とが表示される。この時点では、瞬間紫外線強度及び積算紫外線強度は双方とも得られていないので、同図では、各々の記号の紙面右側に‘００００’、‘００００’及び‘０００．００’と表示されている。なお、ここで表示される瞬間紫外線強度の単位はμＷ／ｃｍ２であり、積算紫外線強度の単位はｍＪ／ｃｍ２である。
【００７４】
次のステップ１０２では、開閉検出スイッチが押圧されているか否かを判定し、肯定判定の場合はステップ１０４に移行して液晶ディスプレイ１６への電力供給を停止した後、ステップ１０６へ移行し、否定判定の場合にはステップ１０２へ戻る。
【００７５】
ステップ１０６では、タイムラグ間隔Ｔ３が経過した否かを判定し、肯定判定の場合にはステップ１０８に移行し、否定判定の場合にはステップ１０６に戻る。
【００７６】
ステップ１０８では紫外線受光素子１８により測定されている瞬間紫外線強度を示す情報を取得し、次のステップ１１０では上記ステップ１０８で取得した情報をメモリ３８の測定データ部３８Ｃの未記憶領域における先頭アドレスに記憶する。なお、本ステップ１１０において瞬間紫外線強度を示す情報をメモリ３８に記憶する際には、当該情報を予め定めた暗号化方式によって暗号化し、暗号化された情報を記憶する。
【００７７】
次のステップ１１２では、サンプリング間隔Ｔ１が経過したか否かを判定し、肯定判定の場合にはステップ１１４に移行し、否定判定の場合にはステップ１１２に戻る。
【００７８】
次のステップ１１４では、測定期間Ｔ２が経過したか否かを判定し、肯定判定判定の場合にはスッテップ１１６に移行し、否定判定の場合にはスッテップ１０８に戻り紫外線受光素子１８により測定されている瞬間紫外線強度を示す情報を取得する。
【００７９】
ステップ１１６では、開閉検出スイッチの押圧が解除されているか否かを判定し、肯定判定の場合にはスッテップ１１８に移行し液晶ディスプレイ１６への電力供給を開始し、否定判定の場合にはスッテップ１１６に戻る。なお、図示しないが、測定期間Ｔ２が経過する前に、開閉検出スイッチの押圧が解除されてた場合（即ちスッテップ１１６において肯定判定の場合）、測定期間Ｔ２が経過していなくても（即ちステップ１１４において否定判定でも）、スッテップ１１８に移行し、液晶ディスプレイ１６への電力供給を開始する。
【００８０】
スッテップ１２０では、メモリ３８の測定データ部３８Ｃに記憶された取得し、測定開始時から測定が停止された時点までの、瞬間紫外線強度の最大値、瞬間紫外線強度の最小値、積算紫外線強度を演算する。そして、ステップ１２２では上記スッテップ１２０の演算結果に基づき液晶ディスプレイ１６に表示すべき表示内容を構成し、次のステップ１２４では上記スッテップ１２２で構成した表示内容を液晶ディスプレイ１６に表示させることによって液晶ディスプレイの表示内容を更新し、その後に本紫外線測定処理を終了する。
【００８１】
図８には、本紫外線処理によってメモリ３８に記憶された瞬間紫外線強度が模式的に示されている。なお、同図では、アドレスを便宜上、１から始まって１情報毎に１づつ増加するものとして表現している。この記憶された瞬間紫外線強度を取得してスッテップ１２０では瞬間紫外線強度の最大値、瞬間紫外線強度の最小値、積算紫外線強度を演算している。
【００８２】
図７（Ｂ）には、上記ステップ１２４の処理によって液晶ディスプレイ１６に表示された画面（測定終了時画面）の一例が示されており、同図に示すように、当該画面では、上記ステップ１２０の処理により取得された演算結果（瞬間紫外線強度の最大値‘Ｕｍａｘ：’、瞬間紫外線強度の最小値‘Ｕｍｉｎ：’、積算紫外線強度‘Ｓ：’）が紙面右側に表示される。
【００８３】
また、図７（Ｃ）には、上記ステップ１２４の処理によって液晶ディスプレイ１６に表示された画面（測定終了時画面）の他の一例が示されており、同図に示すように、当該画面では、メモリ３８の測定データ部３８Ｃに記憶された瞬間紫外線強度を時系列で表すと供に、測定開始から測定停止までの時間（同図では‘１２３Ｓ：’）と、最終測定値（同図では‘８８８’）とが表示されている。このように、ユーザは、当該棒グラフを参照することにより、測定結果を容易に把握することができる。また、例えば、所定の領域内で、紫外線測定装置１０を移動させながら測定を行なうことで、当該棒グラフは、所定の領域の紫外線強度分布図（照度分布）として容易に認識される。
【００８４】
なお、液晶ディスプレイ１６に瞬間紫外線強度を時系列にグラフ表示する際の形態として棒グラフを適用した場合について説明したが、本発明はこれに限定されるものではなく、例えば、折れ線グラフを適用することもできる。
【００８５】
以上の紫外線測定処理では、遮蔽カバー１４を遮蔽位置に回動させたとき（開閉検出スイッチ３０の押圧状態（ＯＮ）、サンプリング間隔Ｔ１で紫外線強度の測定が自動的に開始されて、メモリ３８の測定データ部３８Ｃへ時系列で記憶され、所定期間Ｔ２の経過後、紫外線強度の測定が停止する。なお、測定期間Ｔ２の経過前に、遮蔽カバー１４を開放位置に回動させたときは、紫外線強度の測定が自動的に終了する。そして、予め定められた演算を行ないその演算結果を液晶ディスプレイ１６に表示する。また、遮蔽カバー１４を遮蔽位置に回動させたとき、液晶ディスプレイ１６への電力供給を停止し、遮蔽カバー１４を開放位置に回動させたとき（開閉検出スイッチ３０の押圧解除状態（ＯＦＦ））、液晶ディスプレイ１６への電力供給を開始する。
【００８６】
このようにして紫外線測定装置１０により紫外線測定が行なわれる。
【００８７】
（第２の実施の形態）
図９は、第２の実施の形態に係る紫外線測定装置を示す斜視図である。第２の実施の形態に係る紫外線測定装置１０は、第１の実施の形態における遮蔽カバー１４として、断面四角の筒状のスライド式ケース４８（遮蔽カバー）を用いた形態である。
【００８８】
紫外線測定装置１０は、紫外線測定装置本体１２と、スライド式ケース４８とから構成されている。紫外線測定装置本体１２は、スライド式ケース４８内部に紫外線測定装置本体１２挿入され、スライド式ケース４８の長手方向に（開口方向：図中矢印）案内移動、即ち遮蔽位置（紫外線測定装置本体１２がスライド式ケース４８に収納された状態）及び開放位置（紫外線測定装置本体１２がスライド式ケース４８から、液晶ディスプレイ１６及び操作パネル２０を露出するように一部突出した状態）間で案内移動できるようになっている。なお、この本実施形態において、遮蔽カバーのガイド部は、スライド式ケース４８両側端部の内壁が相当する。
【００８９】
紫外線測定装置本体１２には、図１０に示すように、ロック機構として、ゴムやバネなどの弾性部材からなる付勢部材４８により付勢された突出部材５０が設けられており、スライド式ケース４８に設けられた切欠け５２に突出部材５０、紫外線測定装置本体１２がスライド式ケース４８に収納された状態で系合される。紫外線測定装置本体１２は、図示しないが、スライド式ケース４８から突出させる方向に、ゴムやバネなどの弾性部材からなる付勢部材されつつ紫外線測定装置本体１２がスライド式ケース４８内に収納されており、突出部材５０を押圧することで、紫外線測定装置本体１２がスライド式ケース４８から一部突出し、液晶ディスプレイ１６及び操作パネル２０が外部に露出する。なお、図示しないが、紫外線測定装置本体１２がスライド式ケース４８から外れないように、液晶ディスプレイ１６及び操作パネル２０のみを露出するようにストッパーなどが設けられている。
【００９０】
スライド式ケース４８には、第１の実施の形態と同様に、断面円形の開口部２６が設けられ、紫外線測定装置本体１２が、スライド式ケース４８に収納されたとき、当該開口部２６から紫外線受光素子１８が外部に露出する。
【００９１】
スライド式ケース４８は、光源からの紫外線および赤外線を吸収しないよう、例えば、厚さ０．３ｍｍの非磁性ステンレスで製作し、表面は鏡面仕上げにしている。
【００９２】
紫外線測定装置本体１２には、図１０に示すように、紫外線測定装置本体１２がスライド式ケース４８に収納されてているか否かを検出する開閉検出スイッチ３０が上記ロック機構と供に設けられており、紫外線測定装置本体１２がスライド式ケース４８に収納され、突出部材５０がスライド式ケース４８に設けられた切欠け５２に係合した状態で、当該突出部材５０に押圧されるように構成している。
【００９３】
これら以外の構成は、第１の実施の形態と同様なので、説明を省略する。
【００９４】
（第３の実施の形態）
図１１は、第３の実施の形態に係る紫外線測定装置を示し、（Ａ）は表面、（Ｂ）は裏面を示す斜視図である。
【００９５】
第３の実施の形態に係る紫外線測定装置１０は、第１の実施の形態における遮蔽カバー１４を設けず、紫外線測定装置本体１２（以下、紫外線測定装置１０という）の一方の面（裏面）に紫外線受光素子１８が外部に露出されて設けられ、他方の面（表面）に液晶ディスプレイ１６及び操作パネル２０が外部に露出されて設けられている形態である。
【００９６】
第３の実施の形態に係る紫外線測定装置１０では、図１２に示すように、紫外線測定方向を目視するための断面円形の開口部５４（ファインダー）が例えば直径１０ｍｍで設けられている。この開口部５４の大きさは、紫外線の被爆量をなるべく減らすため、小さいほうがよい。そして、紫外線受光素子１８は開口部５４内で且つ液晶ディスプレイ１６が設けられた面と異なる面側に設けられると供に、例えば４００ｎｍ未満の短い波長の紫外線を遮蔽するフィルター５６が開口部５４内で且つ液晶ディスプレイ１６が設けられた面側に設けられている。また、フィルター５６の紫外線受光素子１８と対向する面には、例えば、アルミ蒸着で十字線５８が印刷されており、開口部５４から被測定物を目視したとき、被測定物を補足し易くしている。
【００９７】
紫外線測定装置１０には、紫外線測定装置を被測定位置に配置したか否かを検出するスイッチ６０が、液晶ディスプレイ１６や操作パネル２０が設けれる面側に設けられている。スイッチ６０は、紫外線測定装置１０を被測定位置に配置し、液晶ディスプレイ１６や操作パネル２０が被測定位置面で覆われると自重で押圧されこととなる。
【００９８】
本実施形態は、主に手作業により、紫外線受光素子１８を被測定物に向け、開口部５４を通して位置合わせをして測定するので、微弱な紫外線量を測定する用途に適しているが、当然、被測定位置に配置して測定する用途にも有効である。
【００９９】
これ以外の本実施形態の構成は第１の実施の形態と同様なので、説明を省略する。
【０１００】
（第４の実施の形態）
図１３は、第４の実施の形態に係る紫外線測定装置を示す斜視図である。
【０１０１】
第４の実施の形態に係る紫外線測定装置１０は、第１の実施の形態の変形例であり、図１４に示すように、遮蔽カバー１４の側端部に２つの筒状体６２（連結部）が設けられており、一方、紫外線測定装置本体の側端部にも２つの筒状体６４が設けられている。この遮蔽カバー１４の２つの筒状体６２と紫外線測定装置本体１２の２つの筒状体６４と、が同軸に互い違いに重ねられ、図示しないピンが４つの筒状体６２、６４に挿入しており、遮蔽カバー１４が紫外線測定装置本体１２に遮蔽位置（遮蔽カバー１４を閉じた位置）及び開放位置（遮蔽カバー１４を開いた位置）の間で回動可能に連結されている。
【０１０２】
遮蔽カバー１４の両側端部（筒状体６２が設けれた側端部とそれに対向する一方の側端部）は、遮蔽カバー１４を遮蔽位置（遮蔽カバー１４を閉じた位置）に回動させたときに、紫外線測定装置本体１２の両側端部に当接するように屈曲して形成されている。このように遮蔽カバー１４の両側端部を屈曲させて構成することで、遮蔽カバー１４を閉じたとき、遮蔽カバー１４と紫外線測定装置本体１２との隙間から紫外線が入り込むのを防止することができる。
【０１０３】
遮蔽カバー１４の一方の側端部（筒状体６２が設けれた側端部に対向する一方の側端部）には突出片６６が設けられており、一方、紫外線測定装置本体１２の一方の側端部には凸部６８が設けられている。この遮蔽カバー１４の突出片６６外壁と紫外線測定装置本体１２の凸部６８外壁とは遮蔽カバー１４を遮蔽位置に回動させたときに系合するように設けられており、測定時などに、遮蔽カバー１４が容易に開放位置に回動されることを防止する。
【０１０４】
紫外線受光素子１８は、紫外線測定装置本体１２の液晶ディスプレイ１６が設けらる面の四隅の１つに設けられている。
【０１０５】
これ以外の本実施形態の構成は第１の実施の形態と同様なので、説明を省略する。
【０１０６】
上記第１の実施の形態では、紫外線受光素子１８を紫外線測定装置本体１２に設けた構成を説明したが、図１４に示すように、紫外線受光素子１８を遮蔽カバー１４外面（遮蔽カバー１４が遮蔽位置に回動したとき、紫外線測定装置本体１２と対向する面とは異なる面）に設けた構成であってもよい。このような構成の場合、例えば、紫外線受光素子１８が設けられた遮熱カバーを脱着可能とすることが好適である。この脱着機構として、遮蔽カバー１４のピン２３を遮蔽カバー１４内部に収納される機構を設けることで、容易に遮蔽カバー１４を紫外線測定装置本体１２から脱着可能となる。
【０１０７】
同様に、上記第２の実施の形態でも、紫外線受光素子１８を紫外線測定装置本体１２に設けた構成を説明したが、図１５に示すように、紫外線受光素子１８をスライド式ケース４８外面（紫外線受光素子１８が遮蔽位置に案内移動したとき、紫外線測定装置本体１２と対向する面とは異なる面）に設ける構成であってもよい。
【０１０８】
また、上記第１の実施の形態で説明した処理（図６参照）の流れは一例であり、本発明の主旨を逸脱しない範囲内において適宜変更可能であることは言うまでもない。
【０１０９】
また、本発明は上記各実施の形態に限定されるものではなく、特許請求の範囲に記載された範囲内で種々の設計上の変更を行ってもよい。また、各実施の形態を任意に組み合わせて実施してもよいのは勿論である。
【０１１０】
【発明の効果】
以上、本発明によれば、測定時には、表示部、操作部などの外部に露出している各種手段を紫外線や赤外線などから保護しつつ、表示部の目視や操作部の操作などを簡易に行なうことができる紫外線測定装置を提供することができる。
【図面の簡単な説明】
【図１】第１の実施の形態に係る紫外線測定装置を示す分解斜視図である。
【図２】第１の実施の形態に係る紫外線測定装置（遮熱カバーを閉じた状態）を示す斜視図である。
【図３】第１の実施の形態に係る紫外線測定装置における紫外線受光素子の指向性について説明する部分断面図である。
【図４】第１の実施の形態に係る紫外線測定装置における内部回路を示すブロック図である。
【図５】第１の実施の形態に係る紫外線測定装置に内蔵されたメモリの記憶内容を示す模式図である。
【図６】第１の実施の形態に係る紫外線測定装置において実行される紫外線測定処理の流れを示すフローチャートである。
【図７】第１の実施の形態に係る紫外線測定装置において、紫外線測定処理の実行途中で紫外線測定装置に設けられた液晶ディスプレイに表示される画面の例を示す概略図である。
【図８】第１の実施の形態に係る紫外線測定装置において、紫外線測定処理によってメモリの測定データ部に記憶された瞬間紫外線強度の状態を示す模式図である。
【図９】第２の実施の形態に係る紫外線測定装置を示す斜視図である。
【図１０】第２の実施の形態に係る紫外線測定装置におけるロック機構を示す斜視図である。
【図１１】第３の実施の形態に係る紫外線測定装置を示し、（Ａ）は表面、（Ｂ）は裏面を示す斜視図である。
【図１２】第３の実施の形態に係る紫外線測定装置を示す部分断面図でる。
【図１３】第４の実施の形態に係る紫外線測定装置を示す斜視図である。
【図１４】他の実施の形態に係る紫外線測定装置を示す斜視図である。
【図１５】他の実施の形態に係る紫外線測定装置を示す斜視図である。
【符号の説明】
１０　　紫外線測定装置
１２　　紫外線測定装置本体
１４　　遮蔽カバー
１６　　液晶ディスプレイ（表示手段）
１８　　紫外線受光素子（検知手段）
２０　　操作パネル（操作手段）
２２　　データ入出力端子
３０　　開閉検出スイッチ（露出検出手段）
３２　　内部回路
３８　　メモリ（記憶手段）
４８　　スライド式ケース（遮蔽カバー）
【図１】
2004109091.tif 000003
【図２】
2004109091.tif 000004
【図３】
2004109091.tif 000005
【図４】
2004109091.tif 000006
【図５】
2004109091.tif 000007
【図６】
2004109091.tif 000008
【図７】
2004109091.tif 000009
【図８】
2004109091.tif 000010
【図９】
2004109091.tif 000011
【図１０】
2004109091.tif 000012
【図１１】
2004109091.tif 000013
【図１２】
2004109091.tif 000014
【図１３】
2004109091.tif 000015
【図１４】
2004109091.tif 000016
【図１５】
2004109091.tif 000017